(57)【要約】【課題】ドラフトローラの外周面に粘着した綿糖や油剤等の付着物でも確実に取り除いて清掃する。【解決手段】ドラフトローラ１ｂの軸方向にのび、ドラフトローラ１ｂの外周面に当接する尖鋭端縁５０ａを備えたスクレーパ部材５０を設け、この尖鋭端縁５０ａを、ドラフトローラの中心軸線１ｃに平行に当接させている。更に、ドラフトローラ１ｂの外周面に加圧して当接付勢するための付勢手段５２が設けられている。そして、スクレーパ部材５０を保持するためのホルダ部材５１を備え、このホルダ部材５１がドラフトローラのベアリングハウス２０に着脱自在に設けられている。【選択図】図４
2006022443.tif 000002
【特許請求の範囲】
【請求項１】
ドラフトローラの軸方向にのび、前記ドラフトローラの外周面に当接する尖鋭端縁を備えたスクレーパ部材を設け、前記スクレーパ部材の尖鋭端縁を、前記ドラフトローラの中心軸線に平行に当接させることを特徴とするドラフトローラのクリーニング装置。
【請求項２】
前記ドラフトローラの外周面に加圧して当接付勢するための付勢手段が設けられていることを特徴とする請求項１に記載のドラフトローラのクリーニング装置。
【請求項３】
前記スクレーパ部材を保持するためのホルダ部材を備え、このホルダ部材が前記ドラフトローラのベアリングハウスに着脱自在に設けられており、更に前記ベアリングハウスが、前記ホルダ部材を位置決めすることを特徴とする請求項１又は２に記載のドラフトローラのクリーニング装置。
【請求項４】
前記ベアリングハウスに、前記ホルダ部材を挿抜して着脱自在とするためのホルダ支持孔を備えており、前記スクレーパ部材が、前記ホルダ部材に対して出没自在に保持されると共に、両端にホルダ部材挿抜方向のホルダ部材中心に向かうにつれて幅広となるテーパ部を備え、前記ホルダ部材を挿抜する際、前記ホルダ支持孔に前記テーパ部が当接して前記スクレーパ部材が前記ホルダ部材に没することを特徴とする請求項３に記載のドラフトローラのクリーニング装置。
【請求項５】
前記スクレーパ部材が、樹脂製であり、前記ドラフトローラの外周面の材質よりも硬度の低いものであることを特徴とする請求項１乃至４のいずれか１項に記載のドラフトローラのクリーニング装置。
【発明の詳細な説明】
【技術分野】
【０００１】
本発明は、ドラフト装置におけるドラフトローラのクリーニング装置に関する。
【背景技術】
【０００２】
紡績機、粗紡機等のドラフト装置におけるドラフトローラは、上方側にトップローラが、下方側にボトムローラが設けられている。そして、スライバは、トップローラとボトムローラの間に挟まれてドラフトされるので、スライバの原料が綿の場合は綿糖、化学繊維の場合は油剤その他の風綿等が、ドラフトローラの外周面に付着する。そのため、定期的にこの付着物を取り除いて清掃するためのクリーニング装置が、ドラフトローラに設けられている。
従来のクリーニング装置として、可撓性部材のベルト（フィン）をドラフトローラに接触させて風綿等をはたき落とすもの（特許文献１参照）、ゴムパットをドラフトローラ外周面に当接させて掻き取るもの（特許文献２参照）等がある。
【特許文献１】実開平６−１０３７６号公報
【特許文献２】実用新案登録第２６０５８４３号公報
【発明の開示】
【発明が解決しようとする課題】
【０００３】
しかしながら、綿糖や油剤等は、粘性を有しているのでローラ外周面に強力に付着するので、ベルトやゴムパットによるクリーニング装置では、ローラ表面を接線に沿って撫でるように接触するため掻き取る力が弱く、確実に取り除いて清掃することができない。そして、ゴムパットのクリーニング装置は、周期的にパットをローラから離反させて付着物を落下させているので、離反時にローラの付着物を取り除くことができないという問題がある。
【０００４】
本発明は、上記の問題点に鑑み、ローラ外周面に強力に粘着した綿糖や油剤等の付着物でも確実に取り除いて清掃することが可能なクリーニング装置の提供を課題とするものである。
【課題を解決するための手段】
【０００５】
前記課題を解決するために、本発明に係るドラフトローラのクリーニング装置は、ドラフトローラの軸方向にのび、ドラフトローラの外周面に当接する尖鋭端縁を備えたスクレーパ部材を設け、スクレーパ部材の尖鋭端縁を、ドラフトローラの中心軸線に平行に当接して構成されている。
【０００６】
好ましくは、ドラフトローラの外周面に加圧して当接付勢するための付勢手段が設けられている。
【０００７】
又、スクレーパ部材を保持するためのホルダ部材を備え、このホルダ部材がドラフトローラのベアリングハウスに着脱自在に設けられており、更にベアリングハウスが、ホルダ部材を位置決めすることが好ましい。
【０００８】
更に好ましくは、ベアリングハウスに、ホルダ部材を挿抜して着脱自在とするためのホルダ支持孔を備えており、スクレーパ部材が、ホルダ部材に対して出没自在に保持されると共に、両端にホルダ部材挿抜方向のホルダ部材中心に向かうにつれて幅広となるテーパ部を備え、ホルダ部材を挿抜する際、ホルダ支持孔にテーパ部が当接してスクレーパ部材がホルダ部材に没する。
【０００９】
そして、スクレーパ部材が樹脂製であり、ドラフトローラの外周面の材質よりも硬度の低いものであればより好ましい。
【発明の効果】
【００１０】
本発明のクリーニング装置は、スクレーパ部材の尖鋭端縁を、ドラフトローラの中心軸線に平行に当接させているので、ローラが回転することにより、尖鋭端縁がローラ外周面に付着した綿糖や油剤等を確実に掻き取って清掃することができる。
【００１１】
そして、付勢部材の加圧により、より強力に掻き取ることができる。また、スクレーパ部材の尖鋭端縁が時間経過により多少磨耗したとしても、付勢部材によりローラへの所定の加圧力を保持できるので、清掃のムラを少なくできる。
【００１２】
又、スクレーパー部材等を保持するホルダ部材を、ドラフトローラのベアリングハウスに着脱自在に設けることにより、このホルダ部材を取り外して、ローラゲージの調整や、スクレーパ部材の交換等のメンテナンスを容易に行うことができる。
【００１３】
又、スクレーパ部材を、樹脂製とすることにより、樹脂の硬質な特性をもって綿糖、油剤を確実に掻き取る。更に、生産性、コスト面に優れると共に、特に金属製のドラフトローラに対して軟質な部材であるので、加圧状態でローラ外周面に当接しても傷付けることがない。
【発明を実施するための最良の形態】
【００１４】
以下、添付図面に基づいて、本発明に係るドラフトローラのクリーニング装置について詳細に説明する。
【００１５】
図１は、本発明に係るドラフトローラのクリーニング装置を備えた紡績機を示す正面図である。図２は、クリーニング装置を備えたドラフト装置の要部を示す側面図である。図３は、バックボトムローラ附近を拡大して示す斜視図である。図４は、図２のＢ方向における一部断面矢視図である。図５は、図４のＡ−Ａ線における断面図である。
【００１６】
図１の如く、本実施例の紡績機は、原動機ボックス１６とダストボックス１７との間に、多数の紡績ユニット１５，１５，・・・が並設されている。この紡績ユニット１５は、バックローラ１、サードローラ２、セカンドローラ３及びフロントローラ４を有するドラフト装置１０が備えられており、このドラフト装置１０によって、スライバケンス（図示せず）から引き出さたスライバＳがドラフト（延伸）される。そして、ドラフト装置１０の下方には、空気紡績部１１が備えられており、この空気紡績部１１によってドラフト装置１０から送り出されるスライバＳが紡績される。紡績されたスライバＳはヤーンＹとなり、ヤーンＹは、糸送りローラ１２によって引き出され、トラバースされながら巻取りパッケージ１３に巻き取られる。
【００１７】
図２に示すように、バックローラ１及びサードローラ２は、上部に配置されたトップローラ１ａ，２ａと、下部に配置されたボトムローラ１ｂ，２ｂにより構成されており、トップローラ１ａ，２ａとボトムローラ１ｂ，２ｂの間にスライバＳを通過させて、スライバＳをドラフトする。スライバＳをドラフトする際、スライバＳの油剤や綿糖、又は風綿等が、ドラフト装置の各ローラ外周面に付着する。そのため、バックローラ１及びサードローラ２下方側に、各ボトムローラ１ｂ，２ｂに付着した付着物を取り除いて除去するための、クリーニング装置５，５が設けられている。
【００１８】
これらのクリーニング装置５，５は、図３〜図６に示すように、スクレーパ部材５０を備えており、このスクレーパ部材５０は、ホルダ部材５１によって保持されている。このスクレーパ部材５０の先端部には尖鋭端縁５０ａが形成されており、この尖鋭端縁５０ａは、各ボトムローラ１ｂ，２ｂの外周面に当接するよう配されている。更に、ホルダ部材５１の内部に設けられた付勢部材５２によって、スクレーパ部材５０は、各ボトムローラ１ｂ，２ｂの中心軸線１ｃ，２ｃに向けて付勢されており、スクレーパ部材５０の先端部５０ａが各ボトムローラ１ｂ，２ｂの外周面の全長にわたって、加圧状態で当接するよう構成されている。
【００１９】
各ボトムローラ１ｂ，２ｂの外周面は、常時、スクレーパ部材５０の尖鋭端縁５０ａによって加圧状態で当接されているので、各ボトムローラ１ｂ，２ｂが回転することにより、この尖鋭端縁５０ａが、各ボトムローラ１ｂ，２ｂ外周面に付着した綿糖等の付着物を掻き取る。そして、スクレーパ部材５０の下部には、吸引部材５５が設けられており、この吸引部材５５の吸引作用により、掻き取った風綿等を吸引して確実に取り除くことができる。この吸引部材５５は、紡績機のダストボックス１７等に接続されて吸引力を得るよう構成されている。
【００２０】
図３の如く、バックボトムローラ１ｂは、両側に軸部１ｄ，１ｄが設けられている。そして、バックボトムローラ１ｂの両側には、ベアリングハウス２０，２０が配置されており、このベアリングハウス２０，２０の上部に設けられたローラ支持孔２０ｂ，２０ｂが各軸部１ｄ，１ｄを支持し、バックボトムローラ１ｂを回転可能に軸支している。
更に、ベアリングハウス２０，２０の下部には、ホルダ支持孔２０ａ，２０ａが設けられており、このホルダ支持孔２０ａ，２０ａに、ホルダ部材５１が挿通され支持されている。
【００２１】
ホルダ部材５１及びスクレーパ部材５０は、バックボトムローラ１ｂの軸方向にのびるよう設けられており、スクレーパ部材５０の軸方向に設けられた尖鋭端縁５０ａが、サードボトムローラ２ｂの外周面に当接されている。
図４の如く、ホルダ部材５１は、軸方向に収納溝５１ａが設けられている。この収納溝５１ａには、板バネ等からなる付勢部材５２が収納されており、この付勢部材５２の上方に、スクレーパ部材５０が配置されている。そして、この付勢部材５２によって、スクレーパ部材５０がバックボトムローラ１ｂに向けて付勢され、これにより、スクレーパ部材５０の尖鋭端縁５０ａがボトムボトムローラ１ｂの外周面に加圧状態で当接されている。
例えば、このスクレーパ部材５０は変形の小さい硬質の樹脂製であり、清掃の対象となるローラよりも硬度の低いものが選ばれる。これにより、清掃中、金属製のボトムローラ１ｂ，２ｂの外周面が傷付かないよう構成されている。
【００２２】
そして、ローラ外周面を掻き取る力を向上させるべく、スクレーパ部材５０の尖鋭端縁５０ａは、常にバックボトムローラ１ｂの中心軸線１ｃに向くよう構成されている。すなわち、図５に示すように、ホルダ支持孔２０ａ，２０ａは、断面形状が略だ円状に形成されており、ホルダ部材５１の断面形状を、このホルダ支持孔２０ａ，２０ａに挿入可能な多角状に形成することにより、ホルダ支持孔２０ａ，２０ａに挿通されたホルダ部材５１は、バックボトムローラ１ｂの回転に伴って回転せず、常時、先鋭端縁５０ａが中心軸線１ｃに平行に当接するよう配置される。
【００２３】
更に、従来では、特許文献２の場合、ローラゲージを調整する際に、ゴムパットやベルトが邪魔になるという問題がある。そこで、スクレーパ部材５０の取り替えや、ローラゲージの調整等のメンテナンスの際、作業が容易なように、ホルダ部材５１が、ベアリングハウス２０，２０に対して着脱自在に構成されている。図６は、ホルダ部材を着脱する手順を説明するための一部断面図である。
図４の如く、スクレーパ部材５０は、付勢部材５２によって、ホルダ部材５１の収納溝５１ａに対して出没自在に構成されている。そして、スクレーパ部材５０の両側には、テーパ部５０ｂ，５０ｂが形成されている。図６（ａ）に示すように、ホルダ部材５１をベアリングハウス２０，２０から取り外す際、先ずホルダ部材５１を軸方向（挿抜方向）Ｃへ引っ張ることによって、スクレーパ部材５０のテーパ部５０ｂをホルダ支持孔２０ａに当接させる。更にホルダ部材５１を軸方向（挿抜方向）Ｃへ引っ張ることにより、スクレーパ部材５０が付勢部材５２の付勢力に反して下方へ押されることにより、収納溝５１ａの内部に収納されて没し、それによってホルダ部材５１を、ホルダ支持孔２０ａから引き抜いて、取り外すことができる。すなわち、スクレーパ部材５０の両側に、ホルダ部材挿抜方向のホルダ部材５１の中心に向かうにつれて幅広となるテーパ部５０ｂ，５０ｂを形成することにより、両軸方向のどちら側からでもスムーズに、ホルダ部材５１をホルダ支持孔２０ａから挿抜して着脱することができる。
【００２４】
本発明に係るクリーニング装置は、紡績機その他のドラフト装置を備える様々な繊維機械に設けることができる。又、このクリーニング装置は、ドラフトローラにおけるトップローラ等にも適用することができる。
【図面の簡単な説明】
【００２５】
【図１】本発明に係るドラフトローラのクリーニング装置を備えた紡績機を示す正面図である。
【図２】クリーニング装置を備えたドラフト装置の要部を示す側面図である。
【図３】バックボトムローラ附近を拡大して示す斜視図である。
【図４】図２のＢ方向における一部断面矢視図である。
【図５】図４のＡ−Ａ線における断面図である。
【図６】ホルダ部材を着脱する手順を説明するための一部断面図である。
【符号の説明】
【００２６】
１・・・バックローラ
２・・・サードローラ
１０・・・ドラフト装置
１ｂ・・・バックボトムローラ
２ｂ・・・サードボトムローラ
１ｃ，２ｃ・・・ボトムローラの中心軸線
５・・・クリーニング装置
５０・・・スクレーパ部材
５０ａ・・・スクレーパ部材の尖鋭端縁
５１・・・ホルダ部材
５２・・・付勢部材
２０・・・ベアリングハウス
【図１】
2006022443.tif 000003
【図２】
2006022443.tif 000004
【図３】
2006022443.tif 000005
【図４】
2006022443.tif 000006
【図５】
2006022443.tif 000007
【図６】
2006022443.tif 000008